【手続補正書】
【提出日】平成29年4月10日(2017.4.10)
【手続補正１】
【補正対象書類名】特許請求の範囲
【補正対象項目名】全文
【補正方法】変更
【補正の内容】
【特許請求の範囲】
【請求項１】
コンピュータプロセッサハードウェアを介し、
データストリームをエンコードデータの複数の第１部分およびエンコードデータの複数の第２部分へとパースする段階と、
第１デコーダを実行して、前記エンコードデータの複数の第１部分を信号の第１表現へとデコードする段階と、
第２デコーダを実行して、前記エンコードデータの複数の第２部分を、前記信号の前記第１表現をどのように変更するかを指定する再構成データへとデコードする段階と、
前記再構成データを前記信号の前記第１表現に適用して前記信号の第２表現を生成する段階と
を備える、方法。
【請求項２】
前記エンコードデータの複数の第１部分はＭＰＥＧ（Ｍｏｖｉｎｇ  Ｐｉｃｔｕｒｅｓ  Ｅｘｐｅｒｔｓ  Ｇｒｏｕｐ）フォーマットに従ってデコードされ、
前記エンコードデータの複数の第２部分から導出される前記再構成データは、階層的エンコードフォーマットに従ってデコードされる、請求項１に記載の方法。
【請求項３】
前記エンコードデータの複数の第１部分は非圧縮ビデオデータを含み、
前記エンコードデータの複数の第２部分から導出される前記再構成データは、階層的エンコードフォーマットに従ってデコードされる、請求項１または２に記載の方法。
【請求項４】
前記エンコードデータの複数の第２部分は圧縮データであり、
前記第２デコーダを実行する段階は、複数のアップサンプリング処理を前記圧縮データに適用して前記再構成データを生成する段階を有し、
適用される前記複数のアップサンプリング処理は、より低い解像度の複数の表示要素設定をより高い解像度の複数の表示要素設定に変換する、請求項２または３に記載の方法。
【請求項５】
前記コンピュータプロセッサハードウェアは第１コンピュータプロセッサハードウェアであり、
第２コンピュータプロセッサハードウェアを介して、
前記データストリームを受信する段階と、
前記データストリームにおいて受信された前記エンコードデータの複数の第１部分のみの、前記信号の前記第１表現へのデコードを開始する段階と、
前記信号の前記第１表現の、ディスプレイスクリーン上での表示を開始する段階と
を備える、請求項１から４のいずれか一項に記載の方法。
【請求項６】
前記エンコードデータの複数の第１部分は、レガシーデコーダコンピュータプロセッサハードウェアと互換性のあるデコード方法に従ってデコードされ、前記データストリームは、前記エンコードデータの複数の第２部分がレガシーデコーダコンピュータプロセッサハードウェアにより用いられないよう編成され、
前記レガシーデコーダコンピュータプロセッサハードウェアは、ｉ）前記エンコードデータの複数の第１部分のみのデコードを開始し、ｉｉ）前記信号の前記第１表現の、それぞれのディスプレイスクリーン上での表示を開始する、請求項５に記載の方法。
【請求項７】
前記信号は複数の表示要素を含み、
前記信号の前記第２表現は、前記信号の前記第１表現より高い品質レベルを有する、請求項１から６のいずれか一項に記載の方法。
【請求項８】
前記第２デコーダを実行して前記エンコードデータの複数の第２部分をデコードする段階は、
前記エンコードデータの複数の第２部分により指定されるように第１品質レベルの第１残余データセットをデコードする段階と、
前記第１残余データセットを利用して、前記信号の前記第１表現を変更し、前記信号の前記第２表現を生成する段階と、
前記信号の前記第２表現に少なくとも部分的に基づき、前記信号の前記第２表現の解像度より高い解像度を有する前記信号の第３表現を生成する段階と、
前記エンコードデータの複数の第２部分により指定されるように第２品質レベルの第２残余データセットをデコードする段階と、
前記第２残余データセットを利用して、前記信号の前記第３表現を変更し、前記信号の第４表現を生成する段階と
を有する、請求項１から７のいずれか一項に記載の方法。
【請求項９】
前記第２デコーダを実行して、前記エンコードデータの複数の第２部分をデコードする段階は、
前記エンコードデータの複数の第２部分により指定される複数のアップサンプリング処理を特定する段階と、
前記複数のアップサンプリング処理を前記信号の前記第２表現に適用して、前記信号の前記第２表現の表示要素解像度より実質的に高い表示要素解像度を有する前記信号の第３表現を生成する段階と
を有する、請求項１から８のいずれか一項に記載の方法。
【請求項１０】
前記再構成データは少なくとも第１残余データセットおよび第２残余データセットを含み、
前記第１残余データセットは、前記信号の表現をどのように第１表示要素解像度で変更するかを指定し、
前記第２残余データセットは、前記信号の表現をどのように第２表示要素解像度で変更するかを指定し、
前記第２表示要素解像度は、前記第１表示要素解像度より高い、請求項１から９のいずれか一項に記載の方法。
【請求項１１】
前記信号は、複数の表示要素の複数のフレームを含むビデオ信号であり、
前記エンコードデータの複数の第１部分と前記エンコードデータの複数の第２部分との間の複数のタイミング関連性を特定する段階をさらに備え、
前記複数のタイミング関連性は、前記再構成データが、前記信号の前記第１表現における前記複数の表示要素の前記複数のフレームのどれに関連するかを示し、
前記再構成データを前記信号の前記第１表現に適用して前記信号の第２表現を生成する段階は、前記複数のタイミング関連性に従って、前記再構成データを利用して、前記信号の前記第１表現を前記信号の前記第２表現へと時間的にアップサンプリングする段階を有し、
前記信号の前記第２表現は、複数の表示要素のフレームを前記信号の前記第１表現より多く含む、請求項１から１０のいずれか一項に記載の方法。
【請求項１２】
前記再構成データを適用する段階は、前記再構成データにより指定されるように、前記信号の前記第２表現を、前記信号の前記第２表現より高い表示要素解像度を有する前記信号の第３表現へと空間的にアップサンプリングする段階を有する、請求項１から１１のいずれか一項に記載の方法。
【請求項１３】
前記再構成データは、複数の表示要素解像度に従ってエンコードされた残余データの階層を含み、
前記第２デコーダは、複数のアップサンプリング処理を前記エンコードデータの複数の第２部分に適用して前記残余データの階層を再生成する、請求項１から１２のいずれか一項に記載の方法。
【請求項１４】
前記エンコードデータの複数の第２部分を、変換された残余データへとデコードする段階と、
前記変換された残余データを処理して量子化された残余データを生成する段階と、
前記量子化された残余データを逆量子化して残余データを再生成する段階と、
再生成された前記残余データを前記信号の前記第１表現に適用して前記信号の前記第２表現を生成する段階と
をさらに備える、請求項１から１３のいずれか一項に記載の方法。
【請求項１５】
前記エンコードデータの複数の第２部分を第１品質レベルの残余データへとデコードする段階と、
前記第１品質レベルの前記残余データに基づき、前記第１品質レベルより高い第２品質レベルの残余データの予備表現を生成する段階と、
前記エンコードデータの複数の第２部分を、量子化され変換された残余データへとデコードする段階と、
前記量子化され変換された残余データを逆量子化して、変換された残余データを生成する段階と、
前記変換された残余データと、前記第１品質レベルの前記残余データと、前記第２品質レベルの前記残余データの予備表現との組み合わせを処理して、前記第２品質レベルの残余データを再生成する段階と、
前記第２品質レベルの再生成された前記残余データを前記信号の前記第１表現に適用して、前記信号の前記第２表現を生成する段階と
をさらに備える、請求項１から１４のいずれか一項に記載の方法。
【請求項１６】
前記信号の前記第２表現に基づき、より実質的に高い表示要素解像度の前記信号の予備表現である前記信号の第３表現を生成する段階と、
前記エンコードデータの複数の第２部分を、変換された残余データセットへとデコードする段階と、
前記変換された残余データセットと、前記信号の前記第２表現と、前記信号の前記第３表現との組み合わせを処理して、残余データセットを生成する段階と、
前記残余データセットを前記信号の前記第３表現に適用して、前記信号の第４表現を生成する段階と
をさらに備える、請求項１から１５のいずれか一項に記載の方法。
【請求項１７】
アップサンプリング処理を、前記信号の前記第２表現に適用して、前記信号の前記第２表現より実質的に高い表示要素解像度を有する前記信号の第３表現を生成する段階をさらに備え、
前記アップサンプリング処理の適用は、前記信号の前記第２表現における複数の表示要素のための複数の設定に基づき、前記信号の前記第３表現における表示要素のための複数の設定を導出することを有する、請求項１から１６のいずれか一項に記載の方法。
【請求項１８】
コンピュータプロセッサハードウェアを介し、
データストリームを、エンコードデータの複数の第１部分、エンコードデータの複数の第２部分、およびエンコードデータの複数の第３部分へとパースする段階と、
第１デコーダを実行して、前記エンコードデータの複数の第１部分を、第１品質レベルの信号の第１表現へとデコードする段階と、
第２デコーダを実行して、前記エンコードデータの複数の第２部分を、前記信号の前記第１表現をどのようにして、前記第１品質レベルより高い第２品質レベルの前記信号の第２表現へと変更するかを指定する第１再構成データへとデコードする段階と、
前記第１再構成データと前記信号の前記第１表現とを処理して、前記第２品質レベルの前記信号の第２表現を生成する段階と、
第３デコーダを実行して、前記エンコードデータの複数の第３部分を、前記信号の前記第２表現をどのようにして、前記第２品質レベルより高い第３品質レベルの前記信号の第３表現へと変更するかを指定する第２再構成データへとデコードする段階と、
前記第２再構成データと、前記信号の前記第２表現とを処理して、前記第３品質レベルの前記信号の第３表現を生成する段階と
を備える、方法。
【請求項１９】
コンピュータプロセッサハードウェアを介し、
受信されたデータストリームを、信号の第１表現と関連付けられた複数の設定を指定するデコードデータ、およびエンコードデータへとパースする段階と、
前記デコードデータを利用して、前記信号の前記第１表現を生成する段階と、
デコーダを実行して、前記エンコードデータを、前記信号の前記第１表現をどのように変更するかを指定する再構成データへとデコードする段階と、
前記再構成データを、前記信号の前記第１表現に適用して、前記信号の第２表現を生成する段階と
を備える、方法。
【請求項２０】
コンピュータプロセッサハードウェアを介し、
信号を受信する段階と、
第１エンコーダを実装して、エンコードデータの複数の第１部分を生成して、前記信号の第１表現を再生成する段階と、
第２エンコーダを実装して、どのように前記信号の前記第１表現を変更し、前記信号の前記第１表現よりも高い品質レベルを有する前記信号の第２表現を生成するかを示すエンコードデータの複数の第２部分を生成する段階と、
前記エンコードデータの複数の第１部分と前記エンコードデータの複数の第２部分とを含むことになるデータストリームを生成する段階と、
前記データストリームを少なくとも１つの宛先に送信する段階と
を備える、方法。
【請求項２１】
前記エンコードデータの複数の第１部分が第１デコーダによりデコードされることになることを示す第１固有タグにより前記エンコードデータの複数の第１部分にタグ付けする段階と、
前記エンコードデータの複数の第２部分が第２デコーダによりデコードされることになることを示す第２固有タグにより前記エンコードデータの複数の第２部分にタグ付けする段階と
をさらに備える、請求項２０に記載の方法。
【請求項２２】
前記データストリームを前記少なくとも１つの宛先に送信する段階は、
前記データストリームを、前記エンコードデータの複数の第１部分のみをデコードする第１宛先へ送信して、前記信号の前記第１表現を再生成し再生する段階と、
前記データストリームを、前記エンコードデータの複数の第１部分と前記エンコードデータの複数の第２部分とをデコードする第２宛先へ送信する段階と
を有し、
前記第２宛先は、デコードされた、前記エンコードデータの複数の第１部分に基づき前記信号の前記第１表現を再生成し、
前記第２宛先は、デコードされた、前記エンコードデータの複数の第２部分を前記信号の前記第１表現に適用して、前記信号の前記第２表現を生成し再生する、請求項２０または２１に記載の方法。